(57)【要約】【課題】カードトレイが周囲の台面より浮いた配置となる場合でも、メモリカードをスムーズにスライドさせて着脱することのできるカードトレイ、並びに、このようなカードトレイを備えた携帯端末装置を提供すること。【解決手段】このカードトレイ３０は、カードスロット２０に所定の台面５１に沿って引き出し可能な状態で収容される。そして、このカードトレイ３０は、メモリカード１０を台面５１に沿った方向にスライド可能に保持するトレイ本体と、トレイ本体から台面５１の方へ張り出して台面に接触または近接する脚部３７，３８とを具備する。【選択図】図２
2013192158.tif 000002
【特許請求の範囲】
【請求項１】
カードスロットに所定の台面に沿って引き出し可能な状態で収容されるカードトレイであって、
メモリカードを前記台面に沿った方向にスライド可能に保持するトレイ本体と、
前記トレイ本体から前記台面の方へ張り出して前記台面に接触または近接する脚部と、
を具備するカードトレイ。
【請求項２】
前記カードトレイが引き出される方向を引出方向、前記引出方向と直交し且つ前記台面に沿った方向を左右方向として、
前記脚部は、前記トレイ本体の前記引出方向の先端よりで、且つ、前記トレイ本体の左右方向の両側に設けられている、
請求項１記載のカードトレイ。
【請求項３】
前記脚部の端面には、前記トレイ本体の外方から内方へ進むに従って前記台面との離間量が大きくなる方向の傾斜が設けられている、
請求項２記載のカードトレイ。
【請求項４】
前記脚部の側面のうち前記トレイ本体の外方を向いた側面は、前記台面に対してほぼ垂直、または、前記台面に近づくに従って外方に張り出す方向に傾斜している、
請求項２記載のカードトレイ。
【請求項５】
前記カードトレイは樹脂により形成され、
前記脚部の側面のうち前記トレイ本体の外方に向いた側面と、前記脚部の端面との間の凸角が、型成形により形成可能な最小の丸みに形成されている、
請求項２記載のカードトレイ。
【請求項６】
２つの前記脚部の間に架される横棒部を具備する、
請求項２記載のカードトレイ。
【請求項７】
前記トレイ本体には、前記台面がある方の逆側に突出したつまみが設けられている、
請求項１記載のカードトレイ。
【請求項８】
筐体内部に配置されメモリカードと電気的に接続するためのカードスロットと、
前記カードスロットに引き出し可能に収容される請求項１〜請求項７の何れか一項に記載のカードトレイと、
を具備する携帯端末装置。
【請求項９】
前記筐体内部の前記台面には、前記カードトレイが引き出される際に前記脚部の端部が沿って進む溝部が形成されている、
請求項８記載の携帯端末装置。
【発明の詳細な説明】
【技術分野】
【０００１】
本発明は、メモリカードを保持してカードスロットに引き出し可能に取り付けられるカードトレイ、ならびに、このカードトレイを有する携帯端末装置に関する。
【背景技術】
【０００２】
従来、携帯端末装置などの電子装置においては、装置内部にメモリカードの装着部が設けられることがある。メモリカードとしては、データ格納用のメモリカード、または、ＳＩＭ（Subscriber Identity Module）カード等のＩＣ（Integrated Circuit）カードなどが含まれる。
【０００３】
装置内部にメモリカードの装着部を設ける場合には、少ないスペースでメモリカードの着脱を容易にするために、メモリカードを保持してカードスロットに引き出し可能に取り付けられるカードトレイが設けられることがある。このようなカードトレイを備えた構成のことを引出方式のメモリカード装着部と呼ぶ。
【０００４】
特許文献１には、引出方式のメモリカード装着部を備えた携帯端末装置が開示されている。
【０００５】
引出方式のメモリカード装着部においても、カードトレイによるメモリカードの保持構造は複数種類ある。
【０００６】
一つは、特許文献１の構成のように、カードトレイがメモリカードの４辺を囲ってメモリカードを保持する形態である。この形態では、カードトレイをカードスロットから引き出した後、メモリカードをカード面に垂直な方向に引き上げて取り出すことができる。
【０００７】
もう一つは、カードトレイがメモリカードの４辺のうち３辺または対向する２辺のみを囲って、メモリカードを一方向にスライド可能な状態で保持する形態である。この形態では、カードトレイを引き出した後、さらに、メモリカードをカード面に沿った方向にスライドさせて取り出すことができる。この保持構造によれば、より少ないスペースでメモリカードを着脱することができる。
【先行技術文献】
【特許文献】
【０００８】
【特許文献１】特開２０１０−２７８８９１号公報
【発明の概要】
【発明が解決しようとする課題】
【０００９】
特許文献１の図１および図３に示されるように、カードトレイは筐体底、或いは、シャーシーなど周辺の台面から浮いた状態に配置されることがある。なお、特許文献１のカードトレイには下方に突出する第１凸部がストッパーとして設けられているが、この第１凸部も筐体底から大きく離間して配置されている。
【００１０】
ここで、カードトレイがメモリカードをスライド可能に保持する形態と、カードトレイが周辺の台面から浮いて配置される形態とが組み合わされた場合について検討する。この場合、カードトレイを引き出した後、メモリカードの上面に指を押し当ててメモリカードをスライドさせて取り出すことになる。この際、メモリカードとカードトレイとは、一端側のみがカードスロットに支えられている状態にあるので、指からの圧力によってカードトレイおよびメモリカードの先端側が折れ曲がるように撓ってしまうという課題が生じる。カードトレイとメモリカードとが撓ると、メモリカードがカードスロット内で引っ掛かって、メモリカードをスムーズに取り出すことができなくなる。
【００１１】
本発明の目的は、カードトレイが周囲の台面より浮いた配置となる場合でも、メモリカードをスムーズにスライドさせて着脱することのできるカードトレイ、並びに、このようなカードトレイを備えた携帯端末装置を提供することである。
【課題を解決するための手段】
【００１２】
本発明の一態様に係るカードトレイは、カードスロットに所定の台面に沿って引き出し可能な状態で収容されるカードトレイであって、メモリカードを前記台面に沿った方向にスライド可能に保持するトレイ本体と、前記トレイ本体から前記台面の方へ張り出して前記台面に接触または近接する脚部と、を具備する構成を採る。
【００１３】
本発明の一態様に係る携帯端末装置は、筐体内部に配置されメモリカードと電気的に接続するためのカードスロットと、前記カードスロットに引き出し可能に収容される上記のカードトレイと、を具備する構成を採る。
【発明の効果】
【００１４】
本発明によれば、メモリカードをスライドさせてカードトレイから取り出す際に、カードトレイの脚部が支えとなって、カードトレイが撓ってしまうことを回避できる。よって、メモリカードのスムーズな挿脱が可能となる。
【図面の簡単な説明】
【００１５】
【図１】本発明の実施の形態の携帯端末装置のカード装着部の周辺を表わした斜視図
【図２】実施の形態においてカードトレイを引き出した状態を表わした斜視図
【図３】実施の形態においてメモリカードをスライドさせた状態を表わした斜視図
【図４】実施の形態においてメモリカードを取り出した状態を表わした斜視図
【図５】本発明の実施の形態のカードトレイを示した斜視図
【図６】実施の形態のカードトレイの裏側を上にして見た斜視図
【図７】実施の形態のカードトレイとシャーシーの上面との関係を説明する正面図
【図８】実施の形態のカードトレイの脚部を詳細に示した拡大正面図
【図９】比較例のカードトレイの作用の一例を示す説明図
【図１０】本発明の実施の形態のカードトレイの変形例を示す斜視図
【図１１】本発明の実施の形態のメモリカード装着部の変形例を示す斜視図
【図１２】本発明の実施の形態のメモリカード装着部の変形例を示す正面図
【発明を実施するための形態】
【００１６】
以下、本発明の各実施の形態について図面を参照して詳細に説明する。
【００１７】
（実施の形態１）
図１は、本発明の実施の形態の携帯端末装置のカード装着部の周辺を表わした斜視図である。図２から図４は、カードトレイを引き出してメモリカードを取り出すまでの一連の動作の過程を表わした斜視図である。
【００１８】
この実施の形態の携帯端末装置１は、電池蓋を開けて外部に開放される電池収容部５０の周辺部に、カードスロット２０と、カードトレイ３０とを備え、この部分にメモリカード１０が装着されている。また、携帯端末装置１は、装置の各部品を収容する筐体４１と、内部で各部品を保持するシャーシー５１とを備えている。
【００１９】
メモリカード１０は、電話番号を特定する固有識別情報が記憶されたＳＩＭカードであり、カードトレイ３０を介してカードスロット２０に装着される。
【００２０】
カードスロット２０は、その内部に、カードトレイ３０およびメモリカード１０を収容するスペースと、カードトレイ３０を引き出し可能に支持するガイド枠と、メモリカード１０の端子に接続される電極とを備えている。
【００２１】
図５には、カードトレイを示した斜視図を、図６には、カードトレイの裏側を上にして見た斜視図を示す。図７は、カードトレイとシャーシーの上面との関係を説明する正面図である。
【００２２】
カードトレイ３０は、メモリカード１０を前後方向にスライド可能な状態で保持する部品であり、図５および図６に示すように、側壁部３１、奥側壁部３２、上カバー３４、台座部３５、つまみ３６、および、複数の脚部３７，３８を備えている。上カバー３４と台座部３５を除いて、カードトレイ３０は樹脂の射出成形により一体的に形成される。
【００２３】
左右の側壁部３１，３１は、収容されるメモリカード１０の左右の２辺を囲って、メモリカード１０の左右の移動を規制する。奥側壁部３２は、収容されるメモリカード１０の奥方の一辺に当って、メモリカード１０のスライド終端位置を規制する。
【００２４】
上カバー３４は、収容されるメモリカード１０の上面奥方を覆ってメモリカード１０の上方の移動を規制する。上カバー３４は、例えば薄い金属板により構成され、三方の縁部が左右の側壁部３１，３１と奥側壁部３２とにそれぞれ固定されている。上カバー３４には、手前側の中央に切欠３４ｚが形成されており、作業者は、この切欠３４ｚの部位を介して収容されたメモリカード１０に指等を押し当てることができる。
【００２５】
台座部３５は、収容されるメモリカード１０の下側で且つ手前側の左右の一部領域に広がって、メモリカード１０を下側から支える。台座部３５は、例えば薄い金属板により構成され、左右の側壁部３１，３１にそれぞれ固定されている。
【００２６】
上述のように、カードトレイ３０は、メモリカード１０の４辺のうち左右の２辺と奥方の１辺とを囲んで、メモリカード１０を保持する一方、メモリカード１０の手前側の一辺は開放されている。よって、メモリカード１０は、カードトレイ３０の手前側からカード面（カード上の広い面）に沿った方向にスライドさせてカードトレイ３０に挿脱することができる。
【００２７】
つまみ３６は、カードトレイ３０の手前側の右端（左端でも良い）に、上方（シャーシー５１の逆側の方向）に張り出して形成されている。作業者は、このつまみ３６に指を引っ掛けてカードトレイ３０をカードスロット２０から引き出すことができる。つまみ３６は、収容されるメモリカード１０の右端より外側に形成されており、メモリカード１０の前後方向のスライド移動の妨げとならない。図１に示すように、つまみ３６は、カードトレイ３０がカードスロット２０に収容された状態で、筐体４１の電池収容部５０の開口から見える位置に設けられる。
【００２８】
脚部３７は、カードトレイ３０の手前側の右端に、下方（シャーシー５１のある方向）に張り出して形成されている。図７に示すように、脚部３７は、シャーシー５１の上面（台面に相当）に接触または近接する長さに形成されている。
【００２９】
脚部３８は、カードトレイ３０の手前側の左端に、下方に張り出して形成されている。図７に示すように、脚部３８は、シャーシー５１の上面（台面に相当）に接触または近接する長さに形成されている。
【００３０】
［メモリカードの取出動作］
上記のように構成されたカード装着部においては、図１から図２に示すように、メモリカード１０が収容された状態で、つまみ３６に指をかけてカードトレイ３０を引き出すことができる。カードトレイ３０を引き出すことで、カードトレイ３０に保持されたメモリカード１０も引き出されて、メモリカード１０の手前側の部分が露出される。
【００３１】
次いで、作業者は、指をメモリカード１０の露出した部分に押し当てて、図２から図３に示すように、摩擦により手前側に引き出す。このとき、メモリカード１０とカードトレイ３０とは下方に圧力が加えられるが、図７に示すように、カードトレイ３０の脚部３７，３８がシャーシー５１の上面に当って、メモリカード１０とカードトレイ３０とは折れ曲がるように撓って変形することがない。よって、作業者はメモリカード１０をスムーズに引き出すことができる。
【００３２】
続いて、図３から図４に示すように、メモリカード１０の手前側が半分程度引き出されたら、作業者は、メモリカード１０をつまんで、カードトレイ３０から取り出すことができる。
【００３３】
［カードトレイのコジリ防止用の構成］
図８は、カードトレイ３０の脚部３７を詳細に示した拡大正面図、図９は、比較例のカードトレイ３０Ｂの作用を示す正面図である。図９のカードトレイ３０Ｂは、脚部３７Ｂの形状に工夫を施していない構成の一例である。
【００３４】
カードトレイ３０のつまみ３６と脚部３７とは、樹脂の射出成型により一体構成される。よって、一般的な成型方法に倣えば、図９の比較例に示すように、型抜きが容易になるように、脚部３７Ｂは先細りするように左右の側面３７１Ｂに比較的に大きな傾斜が設けられる。また、脚部３７Ｂの側面３７１Ｂとシャーシー５１に当接する端面３７２Ｂとの間の凸角３７３Ｂには標準的な曲率半径の丸みが形成される。また、端面３７２Ｂはシャーシー５１の上面と平行に形成されると考えられる。
【００３５】
ここで、上記比較例のカードトレイ３０Ｂにおいて、メモリカード１０がない状態でつまみ３６が押下された場合を考察する。この場合、つまみ３６が端の方に設けられていることも相まって、脚部３７Ｂの端部は内側に滑って、つまみ３６から脚部３７Ｂにかけた部分が容易に回転変形（コジリ）してしまう（図９（Ａ），（Ｂ）を参照）。
【００３６】
本実施の形態のカードトレイ３０の脚部３７には、上記のようなコジリが生じにくくなるように、幾つかの工夫が施されている。
【００３７】
先ず、工夫の一つとして、脚部３７の端面３７２には（図８参照）、外側から内側に進むに従ってシャーシー５１の上面からの離間量が大きくなる方向の傾斜が形成されている。この端面３７２の傾斜により、つまみ３６が押下されたときに、脚部３７が内側にすべるのと逆向きの反作用力がシャーシー５１の上面から加えられる。よって、図９（Ｂ）のようなコジリが生じ難くなる。
【００３８】
また、工夫の一つとして、脚部３７における外方の側面３７１には、型抜き可能な最小の傾斜が形成されている。この傾斜は、例えばシャーシー５１の上面に垂直な面から３°の傾斜であり、シャーシー５１の上面に対してほぼ垂直に相当する。なお、アンダーカットを用いた型成型を行うことで、側面３７１を完全に垂直に形成してもよい。また、逆に、シャーシー５１に近づくに従って外側に張り出す方向の傾斜を設けてもよい。このように側面３７１を形成することで、つまみ３６が押下されたときに、脚部３７は、この力をつまみ３６の直下で支えることができ、図９（Ｂ）のようなコジリが生じ難くなる。
【００３９】
さらに、工夫の一つとして、脚部３７の側面３７１と端面３７２との間の凸角３７３は、できるだけ鋭い角（型成形可能な最小の丸み）に形成されている。この構成により、つまみ３６が押下されたときに、脚部３７が内側にすべりにくくなる。よって、図９（Ｂ）のようなコジリが生じ難くなる。
【００４０】
さらに、工夫の一つとして、脚部３７の端部中央には、凹溝３７４が形成されている。この凹溝３７４は、型成形のゲート（溶融樹脂の流入口）が配置される箇所であり、この凹溝３７４により、ゲート部位に生じる樹脂凸部が端面３７２より飛び出すことが防止される。よって、ゲート部位に樹脂凸部が生じた場合でも、この樹脂凸部がシャーシー５１の上面に当って、つまみ３６の押下時に脚部３７が斜めに転びやすくなるという不都合を回避することができる。
【００４１】
（変形例１）
図１０は、本発明の実施の形態のカードトレイの変形例を示す斜視図である。
【００４２】
コジリ防止用の構成としては、図１０に示す変形例を採用することもできる。この変形例のカードトレイ３０Ａには、左右の脚部３７，３８の間に横棒部３９が架設されている。横棒部３９は、脚部３７，３８の先端側（シャーシー５１の上面に近い側）に接続されるとより好ましいが、脚部３７，３８の中段部位に接続されても良い。
【００４３】
このような横棒部３９により、つまみ３６の押下時に脚部３７が内側に倒れてしまうことが防止される。
【００４４】
（変形例２）
図１１は、本発明の実施の形態のメモリカード装着部の変形例を示す斜視図、図１２は、そのメモリカード装着部の正面図である。
【００４５】
コジリ防止用の構成としては、図１１および図１２に示す変形例を採用することもできる。この変形例は、シャーシー５１の上面に、カードトレイ３０を引き出したときに、脚部３７，３８を案内する溝部５２，５２を設けたものである。
【００４６】
溝部５２，５２は、カードトレイ３０がカードスロット２０から引き出される際に脚部３７，３８が移動する範囲に設けられる。
【００４７】
このような、溝部５２，５２により、つまみ３６の押下時に脚部３７が内側に倒れてしまうことが防止される。
【００４８】
以上のように、この実施の形態のカードトレイ３０および携帯端末装置１によれば、カードトレイ３０に、シャーシー５１の上面に接触または近接する長さの脚部３７，３８が設けられている。よって、カードトレイ３０が引き出された後、メモリカード１０を押下してスライドおよび取り出す際に、カードトレイ３０とメモリカード１０とが折れ曲がるように撓ることがない。よって、作業者はメモリカード１０をスムーズに挿脱することができる。
【００４９】
以上、本発明の実施の形態について説明した。
【００５０】
なお、上記実施の形態では、脚部をカードトレイの左右に２つ設けた構成を例にとって説明したが、例えば、カードトレイの左右方向の中央に太い脚部を１つ設けた構成を採用することもできる。この構成でも、メモリカード１０を押下して取り出す際の撓りを防止することができる。
【００５１】
また、上記実施の形態では、脚部が接触または近接する台面として、シャーシー５１の上面を適用した構成を例にとって説明したが、台面は、回路基板の板面、筐体の内面など、他の構成に取って代わることがある。
【００５２】
また、上記実施の形態では、メモリカードがＳＩＭカードである構成を例にとって説明したが、データ格納用のメモリカード、又は、その他のＩＣカードをメモリカードとした場合でも、本発明は同様に適用することができる。
【産業上の利用可能性】
【００５３】
本発明は、携帯電話機などの携帯端末装置、装置内に搭載されるメモリカードのカードトレイなどに適用できる。
【符号の説明】
【００５４】
１  携帯端末装置
１０  メモリカード
２０  カードスロット
３０  カードトレイ
３４ｚ  切欠
３６  つまみ
３７，３８  脚部
４１  筐体
５１  シャーシー  
３７１  側面
３７２  端面
３７３  凸角
３７４  凹溝
【図１】
2013192158.tif 000003
【図２】
2013192158.tif 000004
【図３】
2013192158.tif 000005
【図４】
2013192158.tif 000006
【図５】
2013192158.tif 000007
【図６】
2013192158.tif 000008
【図７】
2013192158.tif 000009
【図８】
2013192158.tif 000010
【図９】
2013192158.tif 000011
【図１０】
2013192158.tif 000012
【図１１】
2013192158.tif 000013
【図１２】
2013192158.tif 000014